(57)【要約】      （修正有）【課題】レンズ交換式カメラにおいて、特に多数の電気接続端子を必要とする場合に、短絡防止、信号端子のノイズ発生や相互干渉を防止するシステムを提供する。【解決手段】レンズユニット２０と本体３０間の電気的接続端子を種別ごとに複数のブロック、例えばグランドブロック４１、電源ブロック４２及び信号ブロック４３に分離し、カメラのマウント部の接続部円周上の離れた位置、例えば、マウント爪３２の裏側に、分離したブロック４１、４２、４３をそれぞれ配置した。【選択図】図１（ａ）
2005300567.tif 000002
【特許請求の範囲】
【請求項１】
レンズユニットと本体間の電気的接続端子を種別ごとに複数のブロックに分離し、レンズ交換式カメラのマウント部の接続部円周上の離れた位置に前記分離したブロックをそれぞれ配設したことを特徴とするレンズ交換式カメラ。
【請求項２】
レンズユニットをカメラ本体に装着するときに電源端子ブロックが他のブロックより後に接続するように位置決めしたことを特徴とする請求項１記載のレンズ交換式カメラ。
【請求項３】
前記分離したブロックは電源、信号、及びグランドの各ブロックであることを特徴とする請求項１記載のレンズ交換式カメラ。
【請求項４】
前記信号のブロックはさらに複数の信号ブロックに分離したことを特徴とする請求項３記載のレンズ交換式カメラ。
【請求項５】
前記分離したブロックにおける接続端子を光軸方向に複数層に形成したことを特徴とする請求項１〜４の何れかに記載のレンズ交換式カメラ。
【請求項６】
前記分離したブロックはそれぞれ複数のマウント爪の裏側に配置した端子であることを特徴とする請求項１〜５のいずれかに記載のレンズ交換式カメラ。
【請求項７】
レンズユニットと本体間のグランドを除く電気的接続端子を種別ごとに複数のブロックに分離し、レンズ交換式カメラのマウント部の接続部円周上の離れた位置に前記分離したブロックそれぞれ配設すると共に、グランドはレンズユニットと本体との直接接触部の接触としたことを特徴とするレンズ交換式カメラ。
【発明の詳細な説明】
【技術分野】
【０００１】
本発明は、レンズ交換式カメラに関する。さらに詳しくは、レンズ側に撮像素子や画像処理装置などを内蔵し、レンズユニットとカメラ本体との間に多数の情報伝達や作動制御のための電気的継続を行う必要があるレンズ交換式カメラに好適に適用される技術に関する。
【背景技術】
【０００２】
従来、一般に、レンズ交換式カメラはレンズユニットとカメラ本体とを結合するときにレンズユニットとカメラ本体間の通信及び電気供給のために、電気的な結合を同時に行う必要があり、マウント部に接続端子が設けられる。この接続端子は、レンズユニットをカメラ本体に装着していないときには、例えば、カメラ本体側では露出しており、コインとかクリップとかの金属片が誤って接触すると電気的な短絡を生じ、内部回路に損傷を与えるなどの問題がある。このような問題を解決するための種々の技術が開発されている。
【０００３】
例えば、複数のカメラ本体側電気的接続端子が光軸回り方向にほぼ沿って配設され、少なくとも２つの電源供給端子を、接触方向の段差を形成して接触方向に高さの差を設け、カメラ本体側電気的接続端子の接触方向直交位置に、この接続端子より接触方向に突出した突出部を形成し、又、両マウントの結合、離脱の際での前記突出部と対応する位置に切欠きを形成した技術がある（例えば、特許文献１参照。）。
【０００４】
この技術は、カメラマウント部の電源側端子の配置位置に段差を設け、金属の異物が入っても容易にはショートしないようにしたものである。この技術は端子の高さに差を設けるものなので、平らな形状以外のものでは対応できない。また、電源端子のみに関するものであり、他の端子との干渉やノイズ等について未解決である。
【０００５】
また、交換レンズ側マウント部の各接触子がそれぞれカメラ本体側の各接触子に接触するように各接触子を付勢する付勢部材を有するとともに、レンズ光軸に垂直な平面内の同一円周上に配置され、且つ回転操作時に複数の接触子が摺動する如く配置され、電源端子の間隔は他の端子と相違する間隔に設定した交換レンズがある（例えば、特許文献２参照。）。
【０００６】
この技術は、レンズ着脱時に信号ラインに電源・グランドが接触しないように端子の配置距離を相違させて電気的な短絡を防ぐものである。しかしながら、異物挿入に対して対応されていない。
【０００７】
さらに、従来の一眼レフではレンズと本体間の通信機能等をほとんど必要としない。従って、端子の数も少なく、多芯化された際の配置は困難である。また、端子もブロックにまとめて配置され、電気信号の種類によってはノイズの発生が避けられず、また、相互干渉の問題が生ずるおそれがある。
【特許文献１】特公平７−３４０９４号公報（第２−６頁、図１）
【特許文献２】特公平４−１１８５０号公報（第１−３頁、図１）
【発明の開示】
【発明が解決しようとする課題】
【０００８】
本発明は上記問題点を解決し、レンズ交換式カメラにおいて、レンズユニットを装着していないときに、カメラ本体側のカメラマウントの部分に異物が入っても容易に短絡を生ずることがなく、信号線が多数に増加してもこれらに対応することが可能であり、さらに、信号端子におけるノイズの発生や相互干渉を生じないようにしたシステムを提供することを目的とするものである。
【課題を解決するための手段】
【０００９】
本発明は、上記問題点を解決するためになされたもので、次の技術手段を講じたことを特徴とするレンズ交換式カメラである。すなわち、本発明は、レンズユニットと本体間の電気的接続端子を種別ごとに複数のブロックに分離し、レンズ交換式カメラのマウント部の接続部円周上のそれぞれ離れた位置に前記分離したブロックをそれぞれ配設したことを特徴とするレンズ交換式カメラである。
【００１０】
本発明は、特に、レンズユニットとカメラ本体間に多数の通信機能を必要とする場合に好適に適用されるものであって、グランド、電源、信号端子を独立したブロックに分けて配置することによって短絡防止やノイズ発生、相互干渉等の防止を図ったものである。
【００１１】
上記レンズ交換式カメラにおいて、レンズユニットをカメラ本体に装着するときに電源端子が他の端子の接続後に接続されるように位置決めすると、正常な電気回路が形成される前に、回路に不測の電圧負荷を与えることがなく、フールプルーフである。
【００１２】
上記レンズ交換式カメラにおいて、前記信号のブロックはさらに複数の信号ブロックに分離するとさらに好適である。例えば電源、高速シリアル、アナログ、５Ｖ系、３Ｖ系等に分離する。信号の端子を独立した複数のブロックに分けて、各ブロックは同類の信号ごとに分離される。
【００１３】
上記レンズ交換式カメラにおいて、前記分離したブロックにおける接続端子を光軸方向に複数層に形成することによって、多数の接続端子を狭い範囲内に配設することができ好適である。この場合、複数層の端子を格子状、ハニカム状、あるいは千鳥に配置しスペース効率を良くするとよい。
【００１４】
前記分離した複数のブロックはそれぞれ複数のマウント爪の裏側に配設すると、異物との接触を防止することができ好適である。ここでマウント爪の裏側とは、カメラ本体のマウントをカメラ外から見たときのマウント爪の背面及びマウント爪に隠されている爪の背後の空間を云う。
【００１５】
次に本発明の第２の発明はレンズユニットと本体間のグランドを除く電気的接続端子を種別ごとに複数のブロックに分離し、レンズ交換式カメラのマウント部の接続部円周上の離れた位置に前記分離したブロックそれぞれ配設すると共に、グランドはレンズユニットと本体との直接接触部の接触としたことを特徴とするレンズ交換式カメラである。
【００１６】
この場合、グランドは、レンズユニットとカメラ本体との導体部分の直接接触とし、接続端子を省略することができる。
【発明の効果】
【００１７】
本発明によれば、レンズユニットと本体間の電気的接続端子を種別ごとに複数のブロックに分離し、レンズ交換式カメラのマウント部の接続部円周上のそれぞれ離れた位置に前記分離したブロック毎に配設すると共に、電源端子ブロックは他のブロックが接続した後接続するように位置決めしたことを特徴とするレンズ交換式カメラとしたので、電気的接続端子が異物によっても容易に短絡を起こすことがない。また、信号線が増えても対応可能であり、信号端子におけるノイズの発生や相互干渉を生じないという優れた効果を奏する。
【００１８】
なお、グランドをレンズユニットとカメラ本体との直接接触部に設けることによって、グランドの接続端子を省略することができる。
【発明を実施するための最良の形態】
【００１９】
以下図面を参照して本発明の実施の形態を説明する。
【００２０】
図１（ａ）、図１（ｂ）は本発明の実施例のレンズ交換式カメラのマウント部における接続端子の配列例を示す説明図である。図１（ａ）はカメラ側から見た正面図、図１（ｂ）はその縦断面図で、カメラ本体３０にレンズユニット２０が装着された状態を示している。カメラ本体側のマウントは爪３２、爪と爪との間の切欠３１が示されており、各爪３２の裏側に、分離された端子ブロック４１、４２、４３がそれぞれ設けられている。
【００２１】
図１（ａ）、図１（ｂ）に示すように、電源端子ブロック４２、信号端子ブロック４３、グランド端子ブロック４１を離れた位置に配設し、それぞれ独立したブロックとした。カメラマウントとレンズマウントとは、爪の大きさや排列によって挿脱位置が決まっている。すなわち、マウント部はレンズ側の爪角度とカメラマウントの爪角度が調整されており、特定の爪同士が一致する位置以外の位置では係合しないようになっている。従って、レンズユニット２０をカメラ本体３０に装着するとき、挿入位置が規制されるので、異なる端子が接触して誤って短絡することはない。また、金属片などの異物が進入しても電源端子ブロックと他のブロックとの位置が大きく離れているので、短絡事故を起こすことはない。
【００２２】
図１（ｂ）に示すように、例えば、レンズユニット２０の端子２１に接触する端子ブロック４２は、爪３２の裏側に設けられ、端子ブロック４２の接続端子の接点は爪３２によって保護されるようになっている。なお、図１（ｂ）には、レンズユニット２０を取外したときレンズユニット取付部の穴を閉止するバリア６０及びこのバリア６０を閉止位置に向けて付勢するばね６１が示されている。
【００２３】
図２は本発明の別の実施例を示す説明図である。図２において、レンズユニット２０、カメラ本体３０、爪３２、切欠３１、端子ブロック４１、４２は図１と同様である。図２に示すように、グランド端子ブロック４１、電源端子ブロック４２、及び信号端子ブロック４３、４４はそれぞれ独立したブロックとなっている。信号端子ブロック４３、４４が複数のブロック４３、４４に分かれているため、例えば高速シリアル信号とアナログ信号などを、類似信号ごとに分離し、電気的干渉を避けることができる。
【００２４】
図３は接点端子を光軸方向に２層にしたものの縦断面図、図４はその端子正面図（展開図）を示したものである。図４では端子２１、２２の配列を千鳥配置とした例を示しているが、これに限定されるものではなく、他の配列、例えば格子配列、ハニカム配列などでもよく、大きさや間隔の異なる配列などでもよい。複数層に配設することによって、円周方向長さが限定された爪の背後に設ける接点端子の数を増やすことが出来る。
【００２５】
図５はグランド端子を使わずに、レンズ２０側のマウントとカメラ本体３０側のマウント自体との間にグランド接続をするようにしたもので、図５のＡ部拡大図を図６に示した。レンズユニット２０側のマウント自体にグランド部４６を設け、カメラ本体３０側のマウントにグランド部４５を設け、それぞれ接地４７しておき、レンズユニット２０とカメラ本体３０とを結合したとき、自動的にグランドが結合するようにしたものである。この技術では、グランド端子を省略することができ、電気接続端子をブロック別に分離することが一層容易となる。
【図面の簡単な説明】
【００２６】
【図１（ａ）】実施例のマウント部をカメラ側から見た正面図である。
【図１（ｂ）】図１（ａ）の縦断面図である。
【図２】別の実施例のマウント部をカメラ側から見た正面図である。
【図３】他の実施例のマウント部の縦断面図である。
【図４】レンズユニットの接点の配列例を示す正面図である。
【図５】さらに他の実施例のマウント部の縦断面図である。
【図６】図５のＡ部拡大図である。
【符号の説明】
【００２７】
１０    マウント部
２０    レンズユニット
２１、２２    端子
３０    カメラ本体
３１    切欠
３２    爪
４１    グランド端子ブロック
４２    電源端子ブロック
４３、４４    信号端子ブロック
４５、４６    グランド部
４７    接地
６０    バリア
６１    ばね
【図１（ａ）】
2005300567.tif 000003
【図１（ｂ）】
2005300567.tif 000004
【図２】
2005300567.tif 000005
【図３】
2005300567.tif 000006
【図４】
2005300567.tif 000007
【図５】
2005300567.tif 000008
【図６】
2005300567.tif 000009